(57)【要約】      （修正有）【課題】チェーンに色彩を施し色に変化をさせて外観の意匠性や、識別性が向上することができるチェーンを提供する。【解決手段】少なくとも１つのリンクプレートの外側面に互いに色が異なる複数の彩色部を長手方向に平行、直交又は傾斜して並べる。複数の色彩部の境界は、非直線的形状又は波形状に形成される。【選択図】図２
0003153012.tif 000002
【実用新案登録請求の範囲】
【請求項１】
ピンにより複数対の離隔されたリンクプレートを帯状に連結してなるチェーンにおいて、
前記複数対のリンクプレートにおける少なくとも１つのリンクプレートの長手方向の外側面に色が互いに異なる複数の彩色部を所定の順に列べるように設けていることを特徴とするチェーン。
【請求項２】
前記複数の彩色部は、それぞれ前記長手方向に平行に並ぶことを特徴とする請求項１に記載のチェーン。
【請求項３】
前記複数の彩色部は、それぞれ前記長手方向に直交して並ぶことを特徴とする請求項１に記載のチェーン。
【請求項４】
前記複数の彩色部は、それぞれ前記長手方向に傾斜して並ぶことを特徴とする請求項１に記載のチェーン。
【請求項５】
前記複数の彩色部は、それらの間の境界が非直線的形状に形成されることを特徴とする請求項１〜４のいずれかの１項に記載のチェーン。
【請求項６】
前記複数の彩色部の境界が、波形状に形成されることを特徴とする請求項５に記載のチェーン。
【請求項７】
前記複数の彩色部は、第１の彩色部及び第２の彩色部を有することを特徴とする請求項１〜４のいずれかの１項に記載のチェーン。
【請求項８】
前記複数の彩色部は、第１の彩色部と第２の彩色部と第３の彩色部を有することを特徴とする請求項１〜４のいずれかの１項に記載のチェーン。
【請求項９】
前記第２の彩色部は、１層の焼付け塗装により形成され、前記第１の彩色部及び前記第３の彩色部は、２層の焼付け塗装により形成されることを特徴とする請求項８に記載のチェーン。
【考案の詳細な説明】
【技術分野】
【０００１】
本考案は、チェーンに関し、より詳しくは、色彩を施し色に変化をさせて識別効果をもたらすことができるチェーンに関する。
【背景技術】
【０００２】
近年、例えば自転車が環境問題や経済的に移動する交通手段として用いられている。その中、騎乗性だけでなく機能に伴う美的外観で購買意欲を喚起するよう意匠を凝らしたりして個性的なデザインを備えたものの需要も生じてくる。
【考案の概要】
【考案が解決しようとする課題】
【０００３】
自転車において、例えば金属製のチェーンには伝動や、変速の機能が求められており、金属チェーンの色は、黒色や、灰色、銀色など金属のままの色であり、単調で目立たない。現在、すでにカラー付チェーンの市販品が提供されているが、その全体が一つの色を施したものが主流となるので、やや物足りない感がある。
本考案は、チェーンに色彩を施し色に変化をさせて外観の意匠性や、識別性が向上することができるチェーンを提供することを目的とする。
【課題を解決するための手段】
【０００４】
上記目的を達成するために、本考案は、ピンにより複数対の離隔されたリンクプレートを帯状に連結してなるチェーンにおいて、前記複数対のリンクプレートにおける少なくとも１つのリンクプレートの外側面に色が互いに異なる複数の彩色部を所定の順に並べるように設けていることを特徴とするチェーンを提供する。
前記チェーンにおいて、前記複数の彩色部は、それぞれ前記長手方向に平行に並ぶこととする。
また、前記チェーンにおいて、前記複数の彩色部は、それぞれ前記長手方向に直交して並ぶこととしてもよい。
また、前記チェーンにおいて、前記複数の彩色部は、それぞれ前記長手方向に傾斜して並ぶこととしてもよい。
また、前記複数の彩色部は、それらの間の境界が非直線的形状、例えば波形状などに形成されることが好ましい。
前記チェーンにおいて、前記複数の彩色部は、第１の彩色部及び第２の彩色部を有することが好ましい。
また、前記チェーンにおいて、前記複数の彩色部は、第１の彩色部と第２の彩色部と第３の彩色部を有することが好ましい。
前記チェーンにおいて、前記第２の彩色部は、１層の焼付け塗装により形成され、前記第１の彩色部及び前記第３の彩色部は、２層の焼付け塗装により形成されることが好ましい。
【考案の効果】
【０００５】
本考案のチェーンは、リンクプレートの外側面に、色が互いに異なる複数の彩色部を所定の順に列べるように設けているので、リンクプレートに色彩を施して色に変化をさせることができ、チェーンの外観の意匠性や、識別性が向上することができる。
【図面の簡単な説明】
【０００６】
【図１】チェーンの一例を概略的に示す上面図である。
【図２】本考案の第１の実施例にかかるチェーンの外側面を示す図である。
【図３】本考案の第２の実施例にかかるチェーンの外側面を示す図である。
【図４】本考案の第３の実施例にかかるチェーンの外側面を示す図である。
【図５】本考案の第４の実施例にかかるチェーンの外側面を示す図である。
【図６】本考案の第５の実施例にかかるチェーンの外側面を示す図である。
【考案を実施するための形態】
【０００７】
チェーンは、ピンにより複数対の離隔されたリンクプレートを帯状に連結してなるもので、その１例としては、図１に示すように、チェーン１は、複数のチェーンリンク２、２、・・・を有し、それぞれのチェーンリンク２は、一対の離隔されたリンクプレート２１、２２をそなえ、複数対のチェーンリンク２、２、・・・を互いに入れ違いローラ３及びピン４により帯状に連結している構成とする。この構成は、従来の自転車用のチェーンと同様な構成を有するので、詳細な説明を省略する。
このチェーン１は、リンクプレート２１、２２における少なくとも一方の外側面に色が互いに異なる複数の彩色部を所定の順に並べるように設けている。なお、ここでいう外側面とは、図２〜６を見た面であり、例えば自転車フレームに近い面或いは自転車フレームから離れる面である。
なお、この例では、チェーンとしては、チェーンリンク、ローラ、ブシュ、ピンなどからなる構成を有する自転車用チェーンを挙げたが、リンクプレートの外側面に色彩を付けて色に変化をさせることができれば、チェーンの構成はこれに制限されない。このように、少なくとも１つのリンクプレートの外側面に、例えば国旗の色を示すように複数の彩色部を付けて色に変化をさせることができ、チェーンの外観に意匠性や、識別性を向上させることができる。
【実施例１】
【０００８】
図２は、本考案の第１の実施例にかかるチェーン１の外側面を示す図である。チェーン１のリンクプレート２１、２２における一方又は両方の外側面に、第１の彩色部６、第２の彩色部７及び第３の彩色部８が、それぞれプレートの長手方向に平行に並ぶように設けられている。なお、この例で、第２の彩色部７は、第１の彩色部６と第３の彩色部８の間にあるようにリンクプレート２１におけるピン４の端面がある長手中央領域に配置され、第１の彩色部６、第３の彩色部８は、チェーン１におけるピン４の端面がある長手中央領域の上部（以下、長手上部領域をいう）、下部（以下、長手下部領域をいう）にそれぞれ配置されている。
この例においては、第１の彩色部６及び第２の彩色部７の境界Ｉと、第２の彩色部７及び第３の彩色部８の境界ＩＩは、互いに平行で、プレートの長手方向に平行である。
なお、第１の彩色部６は、例えば緑色塗料で、第２の彩色部７は、例えば白色塗料で、第３の彩色部８は、例えば赤色塗料で焼付け塗装されることによって設けられる。具体的には、プレートの外側面に対して一面に白色塗料で焼付け塗装を施し、次に、前記長手上部領域及び長手下部領域にそれぞれ緑色塗料、赤色塗料で焼付け塗装を施すことによって、第１の彩色部６、第２の彩色部７及び第３の彩色部８が配置される。このことによって、第２の彩色部７は、焼付け塗装により一つの白い層に形成され、第１の彩色部６は、内側が白で外側が緑の焼付け塗装、第３の彩色部８は、内側が白で外側が赤の焼付け塗装によりそれぞれ二重層に形成される。
第１の彩色部６、第２の彩色部７、第３の彩色部８は、この実施例においては、塗装を容易に施すためにそれぞれ他の彩色部の色と異なるように形成されているが、識別性を付けることができれば、上記色に制限されない。例えば、第１の彩色部６と第３の彩色部８は、同じ色で形成され、第２の彩色部７は、第１の彩色部６と第３の彩色部８の色と異なるように形成されてもよく、或いは、長手中央領域に塗装をせずにプレートの元の色で第２の彩色部７とし、前記長手上部領域及び前記長手中央領域に対して同一または違う色で塗装を施して形成されてもよい。また、プレート２１、２２における自転車フレームから離れる一方の外側面のみに塗装を施すことはできるが、プレート２１、２２における自転車フレームに近い他方の外側面のみに対して塗装をしてもよく、また、両方の外側面に対して塗装をしてもよい。なお、チェーン１の全体に対して塗装を施してもよく、チェーン１の１部だけに対して塗装を施してもよい。
このように、チェーン１のリンクプレートに第１〜第３の彩色部６、７、８を形成することによって、チェーン１の外観の意匠性や、識別性を向上させることができる。
【実施例２】
【０００９】
図３は、第２の実施例のチェーン１Ａの外側面を示す図である。この実施例においては、前記の実施例と違うのは、第１の彩色部６Ａと第２の彩色部７Ａの境界Ｉ及び第２の彩色部７Ａと第３の彩色部８Ａの境界ＩＩは、チェーン１Ａの外枠に沿った非直線的形状、例えば波形状である点にある。なお、その他の構成は前記実施例と同様であるため、詳細の説明を省略する。
このように、この実施例においては、前記実施例と同様に、チェーンの外観の意匠性や、識別性を向上させることができる効果も有する。
【実施例３】
【００１０】
図４は、第３の実施例のチェーン１Ｂの外側面を示す図である。この実施例においては、前記の実施例と違うのは、第１の彩色部６Ｂと第２の彩色部７Ｂの境界Ｉ及び第２の彩色部７Ｂと第３の彩色部８Ｂの境界ＩＩは、チェーン１Ａの長手方向に沿った非直線的形状、例えば波形状である点にある。
このように、この実施例においては、前記実施例と同様に、チェーンの外観の意匠性や、識別性を向上させることができる効果も有する。
【実施例４】
【００１１】
図５は、第４の実施例のチェーン１Ｃの外側面を示す図である。この実施例においては、前記の実施例と違うのは、第２の彩色部７Ｃが第１の彩色部６Ｃ及び第３の彩色部８Ｃ間にあるように第１、第３の彩色部６Ｃ、８Ｃがリンクプレート２１の外側面の長手両端部分に形成され、第２の彩色部７Ｃは、リンクプレート２１の外側面の中央部分に形成されている。また、第１の彩色部６Ｃと第２の彩色部７Ｃの境界Ｉ及び第２の彩色部７Ｃと第３の彩色部８Ｃの境界ＩＩは、チェーン１Ｃの長手方向に対して直交である点にある。
このように、この実施例も、前記実施例と同様に、チェーンの外観の意匠性や、識別性を向上させることができる。
【実施例５】
【００１２】
図６は、第５の実施例のチェーン１Ｄの外側面を示す図である。この実施例においては、前記の実施例と違うのは、第２の彩色部７Ｄが第１の彩色部６Ｄ及び第３の彩色部８Ｄ間にあるように第１、第３の彩色部６Ｄ、８Ｄがリンクプレート２１の外側面の長手両端部分に形成され、第２の彩色部７Ｄは、リンクプレート２１の外側面の中央部分に形成されている。この例においては、リンクプレート２１は、第１の彩色部６Ｄと第２の彩色部７Ｄの境界Ｉ及び第２の彩色部７Ｄと第３の彩色部８Ｄの境界ＩＩは、チェーン１Ｄの長手方向に対して斜めになっている点にある。
このように、この実施例も、前記実施例と同様に、チェーンの外観の意匠性や、識別性を向上させることができる。
【産業上の利用可能性】
【００１３】
本考案のチェーンは、意匠性のある個性的なデザインをそなえた自転車などに有用である。
【符号の説明】
【００１４】
１、１Ａ〜１Ｄ        チェーン
２                    リンク
３                    ローラ
４                    ピン
６、６Ａ〜６Ｄ、７、７Ａ〜７Ｄ、８、８Ａ〜８Ｄ  彩色部
２１、２２              リンクプレート
Ｉ、ＩＩ              境界
【図１】
0003153012.tif 000003
【図２】
0003153012.tif 000004
【図３】
0003153012.tif 000005
【図４】
0003153012.tif 000006
【図５】
0003153012.tif 000007
【図６】
0003153012.tif 000008